(57)【要約】【課題】   構造簡易で側溝蓋がたつきなく、耐久性及び耐荷重性に優れた側溝蓋孔塞ぎ具を得る。【解決手段】   イ）中央部に底面平坦な窪み部23とを有する表面材2 と、ロ）前記窪み部23裏面の一方及び他方側にピン35、37で連結された略方形板状の一方上側片31及び他方上側片33と、該一方上側片31及び他方上側片33の下端にピン36、38を介して蝶番状に連結された略方形板状の一方下側片32及び他方下側片34で正面視略く字及び略逆く字の対称形に形成され、該一方下側片32及び他方下側片34の各下端部はピン39を介して蝶番状に連結されている押圧材3と、ハ）調整軸4と、ニ）前記ねじ部41が貫通可能な中央部に穿設された丸孔の下面に軸芯を合わせて前記ナット43が固着されている基板51と、該基板51の両端部から立上げられたアーム部52、52とその上端から内向き略鉤形に曲げられた先端部53、53とを有する係合材5とを備えた側溝蓋孔塞ぎ具。【選択図】     図１
2006257787.tif 000002
【特許請求の範囲】
【請求項１】
イ）略方形状の平坦な上段部(21)と、内側にレベルを下げ連続して形成された平坦な中段部(22)と、該中段部(22)の中央部に底面平坦な窪み部(23)とを有する表面材(2) と、ロ）前記窪み部(23)裏面の一方及び他方側にピン(35、37) で連結された略方形板状の一方上側片(31)及び他方上側片(33)と、該一方上側片(31)及び他方上側片(33)の下端にピン(36、38) を介して蝶番状に連結された略方形板状の一方下側片(32)及び他方下側片(34)で正面視略く字及び略逆く字の対称形に形成され、該一方下側片(32)及び他方下側片(34)の各下端部はピン(39)を介して蝶番状に連結されている押圧材(3) と、ハ）ねじ部(41)、頭部(42)及びナット(43)を有する調整軸(4) と、ニ）前記ねじ部(41)が貫通可能な中央部に穿設された丸孔の下面に軸芯を合わせて前記ナット(43)が固着されている基板(51)と、該基板(51)の両端部から立上げられたアーム部(52、52) とその上端から内向き略鉤形に曲げられた先端部(53、53) とを有する係合材(5) とを備え、ホ）前記上段部(21)を上にし、前記ねじ部(41)下端部を下にして隣接する側溝蓋(6、6) の切欠部(6a、6a) に装着され、前記窪み部(23)に載置された前記頭部(42)を回動して前記ナット(43)、係合材(5) 及びピン(39)を押上げることにより前記一方上側片(31)及び他方上側片(33)下端のピン(36、38) の外側水平方向間隔を広げ前記側溝蓋(6、6) を加圧可能としたことを特徴とする側溝蓋孔塞ぎ具。
【請求項２】
イ）略方形状の平坦な上段部(21)と、内側にレベルを下げ連続して形成された平坦な中段部(22)と、該中段部(22)の中央部に底面平坦な窪み部(23)とを有する表面材(2) と、ロ）前記窪み部(23)裏面の一方及び他方側にピン(35、37) で連結された略方形板状の一方上側片(31)及び他方上側片(33)と、該一方上側片(31)及び他方上側片(33)の下端にピン(36、38) を介して蝶番状に連結された略方形板状の一方下側片(32') 及び他方下側片(34') で正面視略く字及び略逆く字の対称形に形成され、該一方下側片(32') 及び他方下側片(34') 下端の間においた平坦細幅の中間板(M) の左右にピン(39'、39') を配設して該一方下側片(32') 及び他方下側片(34') とが蝶番状に連結されている押圧材(3')と、ハ）ねじ部(41)、頭部(42)及びナット(43)を有する調整軸(4) と、ニ）中央部に前記ねじ部(41)が貫通可能な丸孔が穿設され下面に該丸孔と軸芯を合わせて前記ナット(43)が固着されている前記中間板(M) とを備え、ホ）前記上段部(21)を上にし、前記ねじ部(41)下端部を下にして隣接する側溝蓋(6、6) の切欠部(6a、6a) に装着され、前記窪み部(23)に載置された前記頭部(42)を回動して前記ナット(43)及び中間板(M) を上方へ押上げることにより前記一方上側片(31)及び他方上側片(33)下端の前記ピン(36、38) の外側水平方向間隔を広げ前記側溝蓋(6、6) を加圧可能としたことを特徴とする側溝蓋孔塞ぎ具。
【請求項３】
請求項１又は２に記載の側溝蓋孔塞ぎ具において、一方上側片(31') が窪み部(23)と中段部(22)の裏面一方側境界にピン(35') を介して連結され、他方上側片(33') が窪み部(23)と中段部(22)の裏面他方側境界にピン(37')
を介して連結され、該一方上側片(31') 及び他方上側片(33') の下端にピン(36、38) を介して蝶番状に連結された略方形板状の一方下側片(32)及び他方下側片(34)で正面視略く字及び略逆く字の対称形に形成され、該一方下側片(32)及び他方下側片(34)の各下端部はピン(39)を介して蝶番状に連結されている押圧材(3")を有することを特徴とする側溝蓋孔塞ぎ具。
【請求項４】
請求項１〜３のいずれかに記載の側溝蓋孔塞ぎ具において、ピン(36、38) の外側に湾曲する表面滑らかな小寸のスライダー(S) を隣接する上側片又は下側片のいずれか一方と固着したことを特徴とする側溝蓋孔塞ぎ具。
【請求項５】
請求項１〜４のいずれかに記載の側溝蓋孔塞ぎ具の複数ユニットが表面材(2) の中心線上の前後位置に並んで配設されていることを特徴とする側溝蓋孔塞ぎ具。
【発明の詳細な説明】
【技術分野】
【０００１】
本発明は、側溝蓋の継ぎ目に形成される孔塞ぎ具の改良に関する。
【背景技術】
【０００２】
従来、道路に設けられている側溝を覆うための側溝蓋には手掛け用の切欠部に孔が設けられているが、この切欠部の孔は歩行者の歩行の妨げ例えば靴がひかかるとか躓きやすいとかを生じ易く、又隣接する側溝蓋ががたつきやすいとか、施工目地部により段差が生ずるとか等の諸問題を有していた。
【０００３】
これに対し、側溝蓋の切欠部の孔を塞ぐために弾力のあるばね状片を有する孔塞ぎ具を挿着するとか、切欠部の孔に装着した膨大ゴムを引張りボルトで上方へ引張って横方向へ膨らませて塞ぐ等のものがあった。
【特許文献１】実公平７−３８４４１号公報
【特許文献２】特開２００４−３２５６号公報
【特許文献３】特開平９−３１６９８７号公報
【発明の開示】
【発明が解決しようとする課題】
【０００４】
上記［特許文献１］及び［特許文献２］に記載の技術は、切欠部の孔に弾力のあるばね状片を有する孔塞ぎ具を挿着して隣接する側溝蓋を押さえており、比較的簡易な構造であるが側溝蓋回りの多様な仕様によって最適な孔塞ぎ具が異なるため予め多種類のものを準備する必要があり、ガタがないようにしようとすればばねを強くしなければならず、組み立ての作業性が低下することとなり、耐荷重性、耐久性からも難点がある。
又［特許文献３］に記載の技術は、膨大ゴムを引張りボルトで引張って膨らませるもので、側溝蓋回りの仕様が変わってもボルトでの調整によってある程度は対応可能ではあるが、膨大ゴムは経時変化による劣化という耐久性の課題を有している。
【０００５】
これに対して、本発明は、上記従来の技術が有していた課題を解決しようとするもので、構造簡易で、側溝蓋回りの仕様が変わっても柔軟に対応可能で、隣接する側溝蓋のがたつきなく、段差が生ずることもなく安全性、耐バリア性、耐久性及び耐荷重性に優れ、平坦な歩道面等が得られる側溝蓋孔塞ぎ具を得ることを目的とする。
【課題を解決するための手段】
【０００６】
この目的を達成するために、
請求項１の発明にあっては、イ）略方形状の平坦な上段部(21)と、内側にレベルを下げ連続して形成された平坦な中段部(22)と、該中段部(22)の中央部に底面平坦な窪み部(23)とを有する表面材(2) と、ロ）前記窪み部(23)裏面の一方及び他方側にピン(35、37) で連結された略方形板状の一方上側片(31)及び他方上側片(33)と、該一方上側片(31)及び他方上側片(33)の下端にピン(36、38) を介して蝶番状に連結された略方形板状の一方下側片(32)及び他方下側片(34)で正面視略く字及び略逆く字の対称形に形成され、該一方下側片(32)及び他方下側片(34)の各下端部はピン(39)を介して蝶番状に連結されている押圧材(3) と、ハ）ねじ部(41)、頭部(42)及びナット(43)を有する調整軸(4) と、ニ）前記ねじ部(41)が貫通可能な中央部に穿設された丸孔の下面に軸芯を合わせて前記ナット(43)が固着されている基板(51)と、該基板(51)の両端部から立上げられたアーム部(52、52) とその上端から内向き略鉤形に曲げられた先端部(53、53) とを有する係合材(5) とを備え、ホ）前記上段部(21)を上にし、前記ねじ部(41)下端部を下にして隣接する側溝蓋(6、6) の切欠部(6a、6a) に装着され、前記窪み部(23)に載置された前記頭部(42)を回動して前記ナット(43)、係合材(5) 及びピン(39)を押上げることにより前記一方上側片(31)及び他方上側片(33)下端のピン(36、38) の外側水平方向間隔を広げ前記側溝蓋(6、6) を加圧可能とした側溝蓋孔塞ぎ具により解決した。
【０００７】
請求項２の発明にあっては、イ）略方形状の平坦な上段部(21)と、内側にレベルを下げ連続して形成された平坦な中段部(22)と、該中段部(22)の中央部に底面平坦な窪み部(23)とを有する表面材(2) と、ロ）前記窪み部(23)裏面の一方及び他方側にピン(35、37) で連結された略方形板状の一方上側片(31)及び他方上側片(33)と、該一方上側片(31)及び他方上側片(33)の下端にピン(36、38) を介して蝶番状に連結された略方形板状の一方下側片(32') 及び他方下側片(34') で正面視略く字及び略逆く字の対称形に形成され、該一方下側片(32') 及び他方下側片(34') 下端の間においた平坦細幅の中間板(M) の左右にピン(39'、39') を配設して該一方下側片(32') 及び他方下側片(34') とが蝶番状に連結されている押圧材(3')と、ハ）ねじ部(41)、頭部(42)及びナット(43)を有する調整軸(4) と、ニ）中央部に前記ねじ部(41)が貫通可能な丸孔が穿設され下面に該丸孔と軸芯を合わせて前記ナット(43)が固着されている前記中間板(M) とを備え、ホ）前記上段部(21)を上にし、前記ねじ部(41)下端部を下にして隣接する側溝蓋(6、6) の切欠部(6a、6a) に装着され、前記窪み部(23)に載置された前記頭部(42)を回動して前記ナット(43)及び中間板(M) を上方へ押上げることにより前記一方上側片(31)及び他方上側片(33)下端の前記ピン(36、38) の外側水平方向間隔を広げ前記側溝蓋(6、6) を加圧可能とした側溝蓋孔塞ぎ具により解決した。
【０００８】
請求項３の発明にあっては、請求項１又は２に記載の側溝蓋孔塞ぎ具において、一方上側片(31') が窪み部(23)と中段部(22)の裏面一方側境界にピン(35') を介して連結され、他方上側片(33') が窪み部(23)と中段部(22)の裏面他方側境界にピン(37')
を介して連結され、該一方上側片(31') 及び他方上側片(33') の下端にピン(36、38) を介して蝶番状に連結された略方形板状の一方下側片(32)及び他方下側片(34)で正面視略く字及び略逆く字の対称形に形成され、該一方下側片(32)及び他方下側片(34)の各下端部はピン(39)を介して蝶番状に連結されている押圧材(3")を有する側溝蓋孔塞ぎ具とすることができる。
請求項４の発明にあっては、請求項１〜３のいずれかに記載の側溝蓋孔塞ぎ具において、ピン(36、38) の外側に湾曲する表面滑らかな小寸のスライダー(S) を隣接する上側片又は下側片のいずれか一方と固着した側溝蓋孔塞ぎ具とすることができる。
請求項５の発明にあっては、請求項１〜４のいずれかに記載の側溝蓋孔塞ぎ具の複数ユニットが表面材(2) の中心線上の前後位置に並んで配設されている側溝蓋孔塞ぎ具とすることができる。
【発明の効果】
【０００９】
本発明の側溝蓋孔塞ぎ具によれば、構造簡易で、側溝蓋回りの仕様が変わっても柔軟に対応可能で、隣接する側溝蓋のがたつきなく、段差が生ずることもなく安全性、耐バリア性、耐久性及び耐荷重性に優れ、平坦な歩道面等が得られる。
【発明を実施するための最良の形態】
【００１０】
本発明の実施の形態を図面を参照して説明する。
図１は、本発明の第１例の側溝蓋孔塞ぎ具の、（ａ）平面図、（ｂ）Ａ・Ａ断面図である。
図２は、図１に示す側溝蓋孔塞ぎ具の、（ａ）側溝蓋への装着状態を示す一部斜視図、（ｂ）正面視（Ｂ方向）の前側の部分拡大斜視図、（ｃ）側面視（Ｃ方向）の右側の部分側面図である。
図３は、側溝蓋孔塞ぎ具の、（ａ）第２例を示す概略斜視図、（ｂ）第３例を示す概略斜視図、（ｃ）第４例を示す部分斜視図である。
図４は、本発明の側溝蓋孔塞ぎ具の装着箇所を示す側溝蓋群の平面図である。
尚理解し易いように、図２（ａ）は右側の側溝蓋を外し且つ前方部材を一部切断して示し、図３（ａ）及び図３（ｂ）は前方部材を一部切断して示してある。
以下においては、図１（ｂ）Ａ・Ａ断面図に示すとおり、側溝蓋孔塞ぎ具の側溝蓋への装着時における表面側を上又は表とし、裏面側を下又は裏とし、この方向視において隣接する側溝蓋の側面側を左右として説明する。
【００１１】
図１に基づき、本発明の第１例の側溝蓋孔塞ぎ具１の構成を説明するが、図１で側溝蓋孔塞ぎ具１を実線で示し、取付関係を示すために隣接する側溝蓋６及びその境界の切欠部６ａを二点鎖線で表示してある。
側溝蓋孔塞ぎ具１は、表面材２、押圧材３、調整軸４及び係合材５を有している。
表面材２は、隣接する側溝蓋６、６によって形成された平面視略方形状の切欠部６ａの周辺に内側が沿った形状で且つ外側が略方形帯状に形成された平坦な上段部２１と、該上段部２１に囲まれた内側に僅かにレベルを下げた位置に連続して形成された平坦な中段部２２と、該中段部２２の中央部に下方に突出形成された平面視略方形状で底面平坦な下段の窪み部２３とからなっている。図１（ａ）に示すとおり、中段部２２外側は四隅に斜めのリブを設けると強度上、製造上及び外観上から好ましい。窪み部２３の中心部には後述する調整軸４のねじ部４１が貫通可能な中心孔が穿設されている。又窪み部２３は略方形状としているが、略円形状、略多角形状、その他の異形状などの窪みであってもよいが、工作上からは略方形状又は略円形状が簡易である。
【００１２】
押圧材３は、一方片と他方片とが下端部で組合わされているが、一方片は窪み部２３裏面の一方側例えば左側にピン３５で連結された略方形板状の一方上側片３１と、該一方上側片３１下端にピン３６を介して蝶番状に連結された略方形板状の一方下側片３２とで正面視（Ｂ方向）において略く字形に形成されている。他方片は窪み部２３裏面の他方側例えば右側にピン３７で連結された略方形板状の他方上側片３３と、該他方上側片３３下端にピン３８を介して蝶番状に連結された略方形板状の他方下側片３４とで正面視（Ｂ方向）において略逆く字形に形成されている。そして、一方下側片３２及び他方下側片３４の各下端部はピン３９を介して蝶番状に互いに連結され、一方片と他方片の略く字及び略逆く字形は互いに対称形に保持される。この結果、窪み部２３底面のピン３５及び３７を支点として、下端部のピン３９部分の上下に連動して一方上側片３１及び一方下側片３２間の屈曲角度と他方上側片３３及び他方下側片３４間の屈曲角度とが変化し、ピン３６及び３８の外側の水平方向間隔が変化可能となる。
上記のピン３５による連結は、蝶番状でなく窪み部２３の一方例えば左側裏面の前後に固着されたブラケット間に支持されたピン３５により一方上側片３１を窪み部２３に対し回動可能とされている。又、同様にピン３７による連結は、窪み部２３の他方例えば右側裏面の前後に固着されたブラケット間に支持されたピン３７によって他方上側片３３を窪み部２３に対し回動可能とされている。その他のピン３６、３８、３９は、上記したとおり組合わせる部材をいずれも蝶番状に連結している。
【００１３】
調整軸４は、ボルト状でねじ部４１、頭部４２及びナット４３を有し、必要によりワッシャーが用いられる。頭部４２例えば六角頭は表面材２の窪み部２３の内表面に載置され、ねじ部４１が窪み部２３の中心部の中心孔から鉛直方向に貫通され、後述するとおりナット４３が係合材５の基板５１下面に接着又は溶着等によって固着され、ねじ部４１の下部に下からナット４３が螺合される。
係合材５は、図２を参照して、中央部にねじ部４１が貫通可能な丸孔が穿設されている平坦細幅の基板５１と、該基板５１の前後両端部から上方に立上げられたアーム部５２、５２と、該アーム部５２、５２の上端からそれぞれ前後内向き先細に略鉤形に曲げられた先端部５３、５３とを有し、一方片下側片３２及び他方下側片３４の前後間隔Ｔに対し両先端部５３、５３の間隔ｔ１ は僅かに小さく、両アーム部５２、５２の間隔ｔ２ は僅かに大きくとられ、基板５１下面には中央部に穿設されている丸孔と軸芯を合わせてナット４３が固着されている。
【００１４】
次に、図１、２に基づき、側溝蓋孔塞ぎ具１の側溝蓋６への装着の準備について説明する。
前記したとおり、表面材２の窪み部２３裏面の一方側にピン３５を介して一方上側片３１を連結し、窪み部２３裏面の他方側にピン３７を介して他方上側片３３を連結し、一方上側片３１と一方下側片３２のくの字形の屈曲部をピン３６で連結し、他方上側片３３と他方下側片３４の逆くの字形の屈曲部をピン３８で連結し、一方下側片３２と他方下側片３４の各下端部をピン３９で互いに連結している。
次いで、表面材２の窪み部２３の中心孔からねじ部４１を鉛直下方向に貫通し、窪み部２３表面に頭部４２を載置し、ねじ部４１の下に係合材５の基板５１中央部の丸孔を介して固着されているナット４３を螺合し、図２（ｂ）、（ｃ）に示すとおり、略鉤形の先端部５３、５３をピン３９直上で一方下側片３２と他方下側片３４の間の谷底状の空間部分に前後から挿入可能な位置におき、基板５１のアーム部５２、５２を該谷底状の空間部分の前後外側におき、調整軸４の頭部４２をレンチ、スパナ等の工具類で回動することによりねじ部４１が回動しこれに対応して螺合ナット４３が上下し、これに固着されている係合材５も共に上下可能となる。
そして、調整軸４の頭部４２を回動してピン３６及び３８の外側の水平方向間隔が、隣接する側溝蓋６、６の境界の切欠部６ａ、６ａの水平方向間隔Ｗより小さくなるように調整して側溝蓋孔塞ぎ具１の装着の準備を完了する。
【００１５】
次に側溝蓋孔塞ぎ具１の側溝蓋６、６への装着及びその調整方法について説明する。
前記装着準備完了済みの側溝蓋孔塞ぎ具１を表面材２を上にし、ねじ部４１の下端部を下にして隣接する側溝蓋６、６の境界の切欠部６ａ、６ａに図１、２に示すように装着する。このとき上記したとおりピン３６及び３８の外側の水平方向間隔が、切欠部６ａ、６ａの水平方向間隔Ｗより小さいので、表面材２を除くその他の部材は容易に切欠部６ａ、６ａ間の間隙に挿入可能であるが、このままでは隣接する側溝蓋６、６はがたついたままである。
それで、窪み部２３に外側より調整軸４の頭部４２を工具類でねじってねじ部４１を回動させると、係合材５は先端部５３、５３が一方下側片３２及び他方下側片３４間の谷底状の空間部分におかれているために調整軸４の軸芯回りの動きが制約されおり、ねじ部４１の回動に連動してナット４３は回動せず回動するねじの作用で上昇又は下降する。したがって、個々の側溝蓋６、６に合わせて、頭部４２を上昇方向に回動してナット４３及び係合材５を上昇させることにより押圧材３下端部のピン３９部分を上方へ押上げ、これに連動してピン３６及び３８の外側の水平方向間隔を広げて左右水平Ｘ方向に側溝蓋６、６を加圧する。
このとき、表面材２の上段部２１と中段部２２との境界の段差部分に切欠部６ａ、６ａの上縁隅部が当接するので、ピン３６、３８部分による加圧と合わせ、隣接する側溝蓋６、６のがたつきが強固に押さえられ、水平方向間隔Ｗの変動に容易に対応できる。
【００１６】
次に、図３に基づき本発明の側溝蓋孔塞ぎ具の前記第１例と一部構成の異なる他例を説明するが、第１例と共通する構成要素については、図面への符号記載及び詳細説明を省略し、相違点に絞って説明する。
図３（ａ）は第２例の側溝蓋孔塞ぎ具１１であって、前記第１例においてピン３９及び係合片５を廃し、一方下側片３２と他方下側片３４を変更している。すなわち新たな押圧材３′として一方下側片３２と他方下側片３４の間のピン３９による連結を廃し、新たな一方下側片３２′と他方下側片３４′の間に平坦細幅の中間板Ｍをおき、中間板Ｍの左右にピン３９′、３９′を配設してそれぞれ一方下側片３２′と他方下側片３４′とを蝶番状に連結している。そして、中間板Ｍの中央部にはねじ部４１が貫通可能な丸孔が穿設され、下面には該丸孔と軸芯を合わせてナット４３が固着されている他は第１例と同様の構成である。
かかる構成により、調整軸４の頭部４２を回動してもナット４３は中間板Ｍに固着されているために回動が確実に押さえられており、ナット４３及び中間板Ｍを上方へ押上げることにより、ピン３６、３８部分が前記第１例と同様に作動し側溝蓋６、６を加圧可能である。
【００１７】
図３（ｂ）は第３例の側溝蓋孔塞ぎ具１２であって、前記第１例において一方上側片３１と他方上側片３３の取り付け位置を代えて、一方上側片３１′を窪み部２３と中段部２２の裏面左側境界にピン３５′を介して連結され、他方上側片３３′を窪み部２３と中段部２２の裏面右側境界にピン３７′を介して連結されている押圧材３″とした他は前記第１例と同様の構成である。
かかる構成により、第１例とほぼ同様の作用効果が得られる。
【００１８】
図３（ｃ）は第４例の側溝蓋孔塞ぎ具１３であって、前記第１例において他方側に他方上側片３３と他方下側片３４を連結するピン３８の外側に湾曲する表面滑らかな小寸のスライダーＳをおき、隣接する他方上側片３３又は他方下側片３４のいずれか一方と固着し、図示省略するが一方側にも正面視において対称位置のピン３６の外側に同様のスライダーＳを設け、その他は前記第１例と同様の構成である。
かかる構成により、調整軸４の頭部４２を回動してピン３６、３８部分が上下しながら側溝蓋６を加圧する際に、切欠部６ａの表面状態が均一でなく多少の凹凸があっても、スライダーＳの表面が滑らかであり円滑に摺動して加圧可能である。
【００１９】
図示省略するが、第５例の側溝蓋孔塞ぎ具として、前記した側溝蓋孔塞ぎ具１、１１、１２及び１３の各例のいずれかの１ユニットを選択して、複数例えば２ユニットを表面材２の中心線上の前後位置に並べて配設したものである。第５例は前記ピン３６、３８の加圧箇所が複数例えば２か所となるので隣接する側溝蓋６、６のがたつきがより強固に押さえられる利点がある。
尚、前記第１例乃至第５例の側溝蓋孔塞ぎ具は、第１例と第２例はそれぞれ独立であるが、第３例乃至第５例は相違する各構成要素を適宜選択して付加することができる。
【産業上の利用可能性】
【００２０】
本発明の側溝蓋孔塞ぎ具は、側溝蓋回りの仕様が変わっても柔軟に対応可能で、隣接する側溝蓋のがたつきなく、段差が生ずることもなく安全性、耐バリア性、耐久性及び耐荷重性に優れ、平坦な歩道面等に好適である。
【図面の簡単な説明】
【００２１】
【図１】本発明の第１例の側溝蓋孔塞ぎ具の（ａ）平面図、（ｂ）Ａ・Ａ断面図である。
【図２】図１に示す側溝蓋孔塞ぎ具の、（ａ）側溝蓋に装着状態を示す一部斜視図、（ｂ）正面視（Ｂ方向）の前側の部分拡大斜視図、（ｃ）側面視（Ｃ方向）の右側の部分側面図である。
【図３】側溝蓋孔塞ぎ具の、（ａ）第２例を示す概略斜視図、（ｂ）第３例を示す概略斜視図、（ｃ）第４例を示す部分斜視図である。
【図４】本発明の側溝蓋孔塞ぎ具の装着箇所を示す側溝蓋群の平面図である。
【符号の説明】
【００２２】
１、１１、１２、１３  側溝蓋孔塞ぎ具
２  表面材
２１  上段部
２２  中段部
２３  窪み部
３、３′、３″  押圧材
３１、３１′  一方上側片
３２、３２′  一方下側片
３３、３３′  他方上側片
３４、３４′  他方下側片
３５、３６、３７、３８、３９、３５′、３７′、３９′  ピン
４  調整軸
４１  ねじ部
４２  頭部
４３  ナット
５  係合材
５１  基板
５２  アーム部
５３  先端部
６  側溝蓋
６ａ  切欠部
Ｍ  中間板
Ｓ  スライダー
【図１】
2006257787.tif 000003
【図２】
2006257787.tif 000004
【図３】
2006257787.tif 000005
【図４】
2006257787.tif 000006